(57)【要約】　　　（修正有）【課題】釦とホルダとの嵌合が容易で、しかも、正常な嵌合状態を維持することのできるシーソー釦を提供する。【解決手段】対向する釦側壁３１にシーソー動作の支点となる支点孔２２を有する釦と、対向するホルダ側壁に前記支点孔に嵌合する支点軸３２とを有するホルダ３０とからなるシーソー釦１０において、前記ホルダには、前記支点軸の近傍に嵌合孔が設けられ、前記補強部品３７は、前記ホルダ側壁の内壁面に当接する当接部と、該当接部間をつなぐ補強部と、該当接部より外側方向に突出し前記嵌合孔に嵌合する嵌合軸部とを有し、前記補強部品が、前記釦とホルダとの嵌合後に前記ホルダ側壁の内壁面間に架設されてなることを特徴とする。【選択図】図１
2004095490.tif 000002
【特許請求の範囲】
【請求項１】
対向する釦側壁にシーソー動作の支点となる釦側嵌合部を有する釦と、
対向するホルダ側壁に前記釦側嵌合部に嵌合するホルダ側嵌合部とを有するホルダとからなるシーソー釦において、
前記ホルダにおける前記ホルダ側嵌合部近傍の内壁面間には、前記ホルダ側壁が内側方向へ撓むのを補強する補強部品が設けられていることを特徴とするシーソー釦。
【請求項２】
前記ホルダには、前記ホルダ側嵌合部の近傍に嵌合孔が設けられ、
前記補強部品は、前記ホルダ側壁の内壁面に当接する当接部と、該当接部間をつなぐ補強部と、該当接部より外側方向に突出し前記嵌合孔に嵌合する嵌合軸部とを有し、
前記補強部品が、前記釦とホルダとの嵌合後に前記ホルダ側壁の内壁面間に架設されてなることを特徴とする請求項１に記載のシーソー釦。
【請求項３】
前記ホルダ側壁には、内壁面に上方から下方へ広がるようにホルダ側テーパ部が設けられ、
前記補強部品には、前記ホルダ側テーパ部に係合する補強部品側テーパ部が設けられ、
前記補強部品が、前記釦とホルダとの嵌合後に該補強部品と該ホルダの両テーパ部が係止するように設けられてなることを特徴とする請求項１または請求項２に記載のシーソー釦。
【請求項４】
前記ホルダ側壁には、内壁面に上方から下方へ狭まるようにホルダ側テーパ部が設けられ、
前記補強部品には、前記ホルダ側テーパ部に係合する補強部品側テーパ部が設けられ、
前記補強部品と前記ホルダの両テーパ部による係止後に、前記釦とホルダとが嵌合してなることを特徴とする請求項１または請求項２に記載のシーソー釦。
【請求項５】
前記補強部品には、前記釦側方向から切欠溝が設けられていることを特徴とする請求項２、請求項３または請求項４に記載のシーソー釦。
【請求項６】
前記補強部品には、垂直方向に伸びる波形形状の伸縮部が形成されていることを特徴とする請求項１、請求項２または請求項５に記載のシーソー釦。
【請求項７】
前記補強部品は、直軸であることを特徴とする請求項１または請求項２に記載のシーソー釦。
【請求項８】
前記補強部品は、前記ホルダと一体形成されていることを特徴とする請求項１乃至請求項７に記載のシーソー釦。
【請求項９】
対向する釦側壁にシーソー動作の支点となる釦側嵌合部を有する釦と、
対向するホルダ側壁に前記釦側嵌合部に嵌合するホルダ側嵌合部とを有するホルダとからなるシーソー釦において、
前記釦における前記釦側壁の内壁面間には、前記ホルダ側壁に当接または近接し、前記ホルダ側壁が内側方向へ撓むのを補強する補強部が該釦と一体形成されていることを特徴とするシーソー釦。
【発明の詳細な説明】
【０００１】
【発明の属する技術分野】
本発明は、電子機器の複数機能の切替えに用いられるシーソー釦スイッチに係り、詳細には釦とホルダとの正常な嵌合状態を維持することのできるシーソー釦の構造に関する。
【０００２】
【従来の技術】
従来のシーソー釦の構造を図６を用いて説明する。
【０００３】
図６は従来のシーソー釦の構成を示す概略図で、（ａ）平面図、（ｂ）Ｆ−Ｆ断面図である。
【０００４】
１００はシーソー釦スイッチに構成されるシーソー釦で、電子機器の複数機能（本例では２機能）の切替えなどに用いられる。シーソー釦１００は釦１１０とホルダ１２０により構成される。
【０００５】
釦１１０は、例えば、天板１１１を有する方形箱形状をしており、両側の側壁１１２の中央部にシーソー動作の支点となる支点孔１１３が形成されている。また、両側の支点孔１１３を通る中心線に対して両側には、スイッチ押圧部１１４、１１５が、天板１１１の裏面から立設している。尚、天板１１１には機能を表示する記号などが設けられており、天板１１１の下方に設けられた発光素子（ＬＥＤ）などからの照明光により記号が照明されるようになっている。釦１１０の材料には樹脂部材が用いられ樹脂成形加工などにより形成される。
【０００６】
ホルダ１２０は、釦１１０の内径と略同じ形状をした筒状をしており、両側の側壁１２１には釦１１０の支点孔１１３と対応する位置に、支点孔１１３と回動可能に嵌合する支点軸１２２が外側方向に突出して形成されている。また、図示下端部には水平方向にフランジ部１２３が形成され、フランジ部１２３には取付け用の孔などが設けられている。ホルダ１２０の材料には樹脂部材が用いられ樹脂成形加工などにより形成される。
【０００７】
釦１１０をホルダ１２０に組付けるには、釦１１０をホルダ１２０に被せた状態で、両側の支点孔１１３の上を押さえて、釦１１０の支点孔１１３とホルダ１２０の支点軸１２２とを嵌合させる。尚、嵌合時にはホルダ１２０の支点軸１２２の突出部近傍を内側方向へ撓ませて嵌合が行われる。
【０００８】
【特許文献１】
特開平５−１０１７３９号公報
【特許文献２】
特開平５−１９８２３２号公報
【０００９】
【発明が解決しようとする課題】
しかし、上述のシーソー釦１１０の構造では、ホルダ１２０の支点軸１２２の突出部近傍の強度が取れない場合には、シーソー釦１１０の操作時に、例えば偏荷重が加わると、当該箇所が内側方向に倒れ込み嵌合状態が不十分となり、支点孔１１３と支点軸１２２の嵌合部にガタツキが発生し異音発生の原因となる。また、さらに進むとホルダ１２０から釦１１０が脱落するおそれがある。これらの対策として、支点軸１２２の突出部近傍の強度を強くすると、釦１１０との嵌合が難しくなると言う問題が残る。
【００１０】
本発明は上述の問題を解決するもので、釦とホルダとの嵌合が容易で、しかも、正常な嵌合状態を維持することのできるシーソー釦を提供することを目的とする。
【００１１】
【課題を解決するための手段】
本発明は上述の目的を達成するもので、対向する釦側壁にシーソー動作の支点となる釦側嵌合部を有する釦と、対向するホルダ側壁に前記釦側嵌合部に嵌合するホルダ側嵌合部とを有するホルダとからなるシーソー釦において、前記ホルダにおける前記ホルダ側嵌合部近傍の内壁面間には、前記ホルダ側壁が内側方向へ撓むのを補強する補強部品が設けられていることを特徴とするものである。
【００１２】
また、前記ホルダには、前記ホルダ側嵌合部の近傍に嵌合孔が設けられ、前記補強部品は、前記ホルダ側壁の内壁面に当接する当接部と、該当接部間をつなぐ補強部と、該当接部より外側方向に突出し前記嵌合孔に嵌合する嵌合軸部とを有し、前記補強部品が、前記釦とホルダとの嵌合後に前記ホルダ側壁の内壁面間に架設されてなることを特徴とするものである。
【００１３】
また、前記ホルダ側壁には、内壁面に上方から下方へ広がるようにホルダ側テーパ部が設けられ、前記補強部品には、前記ホルダ側テーパ部に係合する補強部品側テーパ部が設けられ、前記補強部品が、前記釦とホルダとの嵌合後に該補強部品と該ホルダの両テーパ部が係止するように設けられてなることを特徴とするものである。
【００１４】
また、前記ホルダ側壁には、内壁面に上方から下方へ狭まるようにホルダ側テーパ部が設けられ、前記補強部品には、前記ホルダ側テーパ部に係合する補強部品側テーパ部が設けられ、前記補強部品と前記ホルダの両テーパ部による係止後に、前記釦とホルダとが嵌合してなることを特徴とするものである。
【００１５】
また、前記補強部品には、前記釦側方向から切欠溝が設けられていることを特徴とするものである。
【００１６】
また、前記補強部品には、垂直方向に伸びる波形形状の伸縮部が形成されていることを特徴とするものである。
【００１７】
また、前記補強部品は、直軸であることを特徴とするものである。
【００１８】
また、前記補強部品は、前記ホルダと一体形成されていることを特徴とするものである。
【００１９】
また、対向する釦側壁にシーソー動作の支点となる釦側嵌合部を有する釦と、対向するホルダ側壁に前記釦側嵌合部に嵌合するホルダ側嵌合部とを有するホルダとからなるシーソー釦において、前記釦における前記釦側壁の内壁面間には、前記ホルダ側壁に当接または近接し、前記ホルダ側壁が内側方向へ撓むのを補強する補強部が該釦と一体形成されていることを特徴とするものである。
【００２０】
【発明の実施の形態】
本発明の第１の実施の形態を図１を用いて説明する。
【００２１】
図１は本発明の第１の実施の形態に係るシーソー釦の構成を示す概略図で、（ａ）平面図、（ｂ）Ａ−Ａ断面図である。
【００２２】
１０はシーソー釦スイッチに構成されるシーソー釦で、電子機器の複数機能（本例では２機能）の切替えなどに用いられる。シーソー釦１０は釦２０とホルダ３０およびＵ字形状補強部品３７などにより構成される。
【００２３】
釦２０は、例えば、天板２１を有する方形箱形状をしており、両側の側壁２５の中央部には、シーソー動作の支点となる支点孔２２が形成されている。また、両側の支点孔２２を通る中心線に対して両側には、スイッチ押部２３、２４が、天板２１の裏面から立設している。尚、天板２１には機能を表示する記号などが設けられており、天板２１の下方に設けられた発光素子（ＬＥＤ）などからの照明光により記号が照明されるようになっている。釦２０の材料には樹脂部材が用いられ樹脂成形加工などにより形成される。
【００２４】
ホルダ３０は、釦２０の内径と略同じ形状をした略筒状をしており、両側の側壁３１には釦２０の支点孔２２と対応する位置に、支点孔２２と回動可能に嵌合する支点軸３２が外側方向に突出して形成されている。支点軸３１の図示下方には孔３３が形成されており、側壁３１の内側には孔３３を中心にして、図示下方へ溝３４が形成されている。また、図示下端部には水平方向にフランジ部３５が形成され、フランジ部３５には取付け用の孔などが設けられている。ホルダ３０の材料には樹脂部材が用いられ樹脂成形加工などにより形成される。
【００２５】
Ｕ字形状補強部品３７は、釦２０をホルダ３０に組付けた状態で、ホルダ３０の支点軸３２の形成面（両側の側壁３１）が内側方向へ撓む（倒れ込む）のを防止するための補強部品である。Ｕ字形状補強部品３７は、ホルダ３０の溝３４に係合する板厚に形成されており、Ｕ字形状の開口端部の外側にはホルダ３０に設けられた孔３３に嵌合する嵌合軸部３８が立設している。Ｕ字形状補強部品３７の材料には樹脂部材が用いられ樹脂成形加工などにより形成される。
【００２６】
次に、釦とホルダの組付けについて説明する。
【００２７】
釦２０をホルダ３０に組付けるには、釦２０をホルダ３０に被せた状態で、両側の支点孔２２の上部を押さえて、釦２０の支点孔２２とホルダ３０の支点軸３２とを嵌合させる。尚、嵌合時にはホルダ３０の支点軸３２の先端部が、釦２０の両側の側壁２５に押圧され、支点軸３２の突出部近傍（両側の側壁３１）を内側方向へ撓ませて嵌合が行われる。次に、Ｕ字形状補強部品３７の開口端部を図示上方にして、ホルダ３０の図示下方より溝３４に沿わせながら挿入する。尚、挿入途中ではＵ字形状補強部品３７の嵌合軸部３８の先端が、溝３４の底面で押圧され、Ｕ字形状補強部品３７の開口部が内側方向へ狭まりながら進む。そして、嵌合軸部３８の先端がホルダ３０の孔３３に達すると、押圧されていた開口部が弾性力により元の状態に戻り嵌合軸部３８が孔３３に嵌合する。
【００２８】
以上説明したように本発明の第１の実施の形態に係るシーソー釦１０の構造によれば、釦２０とホルダ３０の組付け後に、ホルダ３０の側壁３１の内壁面間にＵ字形状補強部品３７を挿入するので、釦２０とホルダ３０との組付け時には弱い挿入力で容易に嵌合できる。しかも、シーソー釦２０の操作時に、例えば、嵌合部に偏荷重が加わっても側壁３１が内側方向へ撓む（倒れ込む）のを防止することができるので、釦２０の支点孔２２とホルダ３０の支点軸３２との正常な嵌合状態を維持することができる。
【００２９】
尚、本実施例では補強部品をＵ字形状に形成したが、これに限らず、例えばＶ字形状に形成することもできる。その他に、Ｕ字形状補強部品３７を中央部に一箇所設けたが、必要により複数箇所、例えば、シーソー軸線を挟んで二箇所設けてもよい。
【００３０】
次に、本発明の第２の実施の形態を図２を用いて説明する。
【００３１】
図２は本発明の第２の実施の形態に係るシーソー釦の構成を示す概略図で、（ａ）平面図、（ｂ）Ｂ−Ｂ断面図である。尚、第２の実施の形態は第１の実施の形態の一部を変更したもので、その他については第１の実施の形態と略同じであるので、同じ構成については同じ符号を付し説明を省略する。
【００３２】
１１はシーソー釦スイッチに構成されるシーソー釦で、電子機器の複数機能（本例では２機能）の切替えなどに用いられる。シーソー釦１１は釦２０とホルダ４０および棒状補強部品４５などにより構成される。
【００３３】
ホルダ４０は、釦２０の内径と略同じ形状をした略筒状をしており、両側の側壁４１には釦２０の支点孔２２と対応する位置に、支点孔２２と回動可能に嵌合する支点軸４２が外側方向に突出している。支点軸４２の図示下方には孔４３が形成されている。また、図示下端部には水平方向にフランジ部４４が形成され、フランジ部４４には取付け用の孔などが設けられている。ホルダ４０の材料には樹脂部材が用いられ樹脂成形加工などにより形成される。
【００３４】
棒状補強部品４５は、釦２０をホルダ４０に組付けた状態で、ホルダ４０の支点軸４２の形成面（両側の側壁４１）が内側方向へ撓む（倒れ込む）のを防止するための補強部品である。棒状補強部品４５には、中央部の円直棒状の補強部４６の両端部の近傍に両側の側壁４１の内壁面に当接するフランジ部４７が形成されており、フランジ部４７から外側方向へ、ホルダ４０に設けられた孔４３に嵌合する嵌合軸部４８が設けられている。棒状補強部品４５の材料には樹脂部材が用いられ樹脂成形加工などにより形成される。
【００３５】
次に、釦とホルダの組付けについて説明する。
【００３６】
釦２０をホルダ４０に組付けるには、釦２０をホルダ４０に被せた状態で、両側の支点孔２２の上部を押さえて、釦２０の支点孔２２とホルダ４０の支点軸４２とを嵌合させる。尚、嵌合時にはホルダ４０の支点軸４２の先端部が、釦２０の両側の側壁２５に押圧され、支点軸４２の突出部近傍（両側の側壁４１）を内側方向へ撓ませて嵌合が行われる。次に、棒状補強部品４５をホルダ４０の図示下方より挿入する。挿入途中では棒状補強部品４５の嵌合軸部４８の先端が、ホルダ４０の両側の側壁４１の内面で押圧され、棒状補強部品４５の中央部の補強部４６が撓みながら進む。そして、嵌合軸部３８の先端がホルダ４０の孔４３に達すると、押圧され撓んでいた補強部４６が弾性力により元の状態に戻り嵌合軸部３８が孔４３に嵌合する。
【００３７】
以上説明したように本発明の第２の実施の形態に係るシーソー釦１１の構造によれば、釦２０とホルダ４０の組付け後に、ホルダ４０の側壁４１の内壁面間に棒状補強部品４５を挿入するので、釦２０とホルダ４０との組付け時には弱い挿入力で容易に嵌合できる。しかも、シーソー釦２０の操作時に、例えば、嵌合部に偏荷重が加わっても側壁４１が内側方向へ撓む（倒れ込む）のを防止することができるので、釦２０の支点孔２２とホルダ４０の支点軸４２との正常な嵌合状態を維持することができる。その他に、補強部４６が円直棒状をしているので下方からの照明光の邪魔になりにくい。
【００３８】
尚、本実施例では棒状補強部品４５を中央部に一箇所設けたが、必要により複数箇所、例えば、シーソー軸線を挟んで二箇所設けてもよい。
【００３９】
次に、本発明の第３の実施の形態を図３を用いて説明する。
【００４０】
図３は本発明の第３の実施の形態に係るシーソー釦の構成を示す概略図で、（ａ）平面図、（ｂ）Ｃ−Ｃ断面図である。尚、第３の実施の形態は第１の実施の形態の一部を変更したもので、その他については第１の実施の形態と略同じであるので、同じ構成については同じ符号を付し説明を省略する。
【００４１】
１２はシーソー釦スイッチに構成されるシーソー釦で、電子機器の複数機能（本例では２機能）の切替えなどに用いられる。シーソー釦１２は釦２０とホルダ５０および補強部品５７などにより構成される。
【００４２】
ホルダ５０は、釦２０の内径と略同じ形状をした略筒状をしており、両側の側壁５１には釦２０の支点孔２２と対応する位置に、支点孔２２と回動可能に嵌合する支点軸５２が外側方向に突出している。側壁５１の内壁面には、上端部から図示下方の外側方向へ傾斜するテーパ部５３に沿って溝５４が形成されている。側壁５１の下端部（溝５４の下部）には、補強部品５７の下端面が係止する係止爪５５がそれぞれ内側方向へ突出している。また、図示下端部には水平方向にフランジ部５６が形成され、フランジ部５６には取付け用の孔などが設けられている。ホルダ５０の材料には樹脂部材が用いられ樹脂成形加工などにより形成される。
【００４３】
補強部品５７は、釦２０をホルダ５０に組付けた状態で、ホルダ５０の支点軸５２の形成面（両側の側壁５１）が内側方向へ撓む（倒れ込む）のを防止するための部品である。補強部品５７は、ホルダ５０の溝５４に係合する板厚に形成されており、図示垂直方向の外周には、ホルダ５０の溝５４のテーパと同じテーパ（図示上方から下方へ広がる）が設けられている。また、所定の強度で撓むように上端部から切欠溝５９が設けられている。補強部品５７の材料には樹脂部材が用いられ樹脂成形加工などにより形成される。
【００４４】
次に、釦とホルダの組付けについて説明する。
【００４５】
釦２０をホルダ５０に組付けるには、釦２０をホルダ５０に被せた状態で、両側の支点孔２２の上部を押さえて、釦２０の支点孔２２とホルダ５０の支点軸５２とを嵌合させる。尚、嵌合途中では、ホルダ５０の支点軸５２の先端部が、釦２０の両側の側壁２５に押圧され、支点軸５２の突出部近傍（両側の側壁５１）を内側方向へ撓ませて嵌合が行われる。次に、ホルダ５０の図示下方から補強部品５７を溝５４に沿わせて挿入する。挿入途中では、ホルダ５０の側壁５１は外側方向へ、また、補強部品５７は内側方向へ撓みながら嵌合が進む。そして、補強部品５７の下端面が側壁５１の下端部に設けられた係止爪５５に達すると、補強部品５７の下端面が係止爪５５に係止して固定される。
【００４６】
以上説明したように本発明の第４の実施の形態に係るシーソー釦１２の構造によれば、釦２０とホルダ５０の組付け後に、ホルダ５０の側壁５１の内壁面間に補強部品５７を挿入するので、釦２０とホルダ５０との組付け時には弱い挿入力で容易に嵌合できる。しかも、ホルダ５０の側壁５１の内壁面間に補強部品５７を挿入するので、シーソー釦２０の操作時に、例えば、嵌合部に偏荷重が加わっても側壁５１が内側方向へ撓む（倒れ込む）のを防止することができるので、釦２０の支点孔２２とホルダ５０の支点軸５２との正常な嵌合状態を維持することができる。その他に、ホルダ５０と補強部品５７との嵌合部をテーパ嵌合とすることによりガタツキを少なくすることができる。
【００４７】
尚、本発明の第３の実施の形態では補強部品５７を中央部に一箇所設けたが、必要により複数箇所、例えば、シーソー軸線を挟んで二箇所設けてもよい。
【００４８】
また、補強部品５７に切欠溝５９を設けたが、補強部品５７の挿入時に撓みが必要でない場合には切欠溝５９を設けなくてもよい。
【００４９】
その他に、補強部品５７に切欠溝５９を設けたが、これに限らず、切欠溝５９の代わりに、垂直方向に伸びる波形形状の伸縮部を形成し、補強部に弾性力を持たせるようにすることもできる。
【００５０】
次に、本発明の第４の実施の形態を図４を用いて説明する。
【００５１】
図４は本発明の第４の実施の形態に係るシーソー釦の構成を示す概略図で、（ａ）平面図、（ｂ）Ｄ−Ｄ断面図である。尚、第４の実施の形態は第１の実施の形態の一部を変更したもので、その他については第１の実施の形態と略同じであるので、同じ構成については同じ符号を付し説明を省略する。
【００５２】
１３はシーソー釦スイッチに構成されるシーソー釦で、電子機器の複数機能（本例では２機能）の切替えなどに用いられる。シーソー釦１３は釦２０とホルダ６０および補強部品６７などにより構成される。
【００５３】
ホルダ６０は、釦２０の内径と略同じ形状をした略筒状をしており、両側の側壁６１には釦２０の支点孔２２と対応する位置に、支点孔２２と回動可能に嵌合する支点軸６２が外側方向に突出している。側壁６１の内壁面には、上端部の近傍から図示下方の中心方向へ傾斜するテーパ部６３に沿って溝６４が形成されている。側壁６１の上端部（溝６４の上部）には、補強部品６７の上端面が係止する係止爪６５がそれぞれ内側方向へ突出している。また、図示下端部には水平方向にフランジ部６６が形成され、フランジ部６６には取付け用の孔などが設けられている。ホルダ６０の材料には樹脂部材が用いられ樹脂成形加工などにより形成される。
【００５４】
補強部品６７は、釦２０をホルダ６０に組付けた状態で、ホルダ６０の支点軸６２の形成面（両側の側壁６１）が内側方向へ撓む（倒れ込む）のを防止するための部品である。補強部品６７は、ホルダ６０の溝６４に係合する板厚に形成されており、図示垂直方向の外周には、ホルダ６０の溝６４のテーパと同じテーパ（図示上方から下方へ狭まる）が設けられている。また、所定の強度で撓むように上端部から切欠溝６９が設けられている。補強部品６７の材料には樹脂部材が用いられ樹脂成形加工などにより形成される。
【００５５】
次に、釦とホルダの組付けについて説明する。
【００５６】
釦２０をホルダ６０に組付けるには、ホルダ６０の図示上方から補強部品６７を溝６４に沿わせて挿入する。挿入途中では、ホルダ６０の側壁６１は外側方向へ、また、補強部品６７は内側方向へ撓みながら互いに撓みを吸収しながら嵌合が進む。そして、補強部品６７の上端面が側壁６１の上端部に設けられた係止爪６５に達すると、補強部品６７の上端面が係止爪６５に係止して固定される。次に、釦２０をホルダ６０に被せた状態で、両側の支点孔２２の上部を押さえて、釦２０の支点孔２２とホルダ６０の支点軸６２とを嵌合させる。尚、嵌合途中ではホルダ６０の支点軸６２の先端部が、釦２０の両側の側壁２５に押圧され、支点軸６２の突出部近傍（両側の側壁６１）を内側方向へ撓ませて嵌合が行われる。
【００５７】
以上説明したように本発明の第４の実施の形態に係るシーソー釦１３の構造によれば、ホルダ６０の側壁６１の内壁面間に補強部品６７を挿入するので、シーソー釦２０の操作時に、例えば、嵌合部に偏荷重が加わっても側壁６１が内側方向へ撓む（倒れ込む）のを防止することができるので、釦２０の支点孔２２とホルダ６０の支点軸６２との正常な嵌合状態を維持することができる。その他に、ホルダ６０と補強部品６７との嵌合部をテーパ嵌合とすることによりガタツキを少なくすることができる。
【００５８】
尚、本発明の第４の実施の形態では補強部品６７を中央部に一箇所設けたが、必要により複数箇所、例えば、シーソー軸線を挟んで二箇所設けてもよい。
【００５９】
その他に、本発明の第１乃至第４の実施の形態では、補強部品（Ｕ字形状補強部品３７、棒状補強部品４５、補強部品５７、６７）を、ホルダ３０、４０、５０、６０とそれぞれ別体に設けたが、これに限らず、ホルダ３０、４０、５０、６０と一体形成することもできる。
【００６０】
次に、本発明の第５の実施の形態を図５を用いて説明する。
【００６１】
図５は本発明の第５の実施の形態に係るシーソー釦の構成を示す概略図で、（ａ）平面図、（ｂ）Ｅ−Ｅ断面図である。
【００６２】
１４はシーソー釦スイッチに構成されるシーソー釦で、電子機器の複数機能（本例では２機能）の切替えなどに用いられる。シーソー釦１４は釦８０とホルダ９０などにより構成される。
【００６３】
釦８０は、例えば、天板８１を有する方形箱形状をしており、両側の側壁８２の中央部には、シーソー動作の支点となる支点孔８３が形成されている。また、側壁８２の支点孔８３を通る中心線に対して両側には、スイッチ押部８４、８５が形成されている。その他に、天板８１にはホルダ９０の両側の側壁９１の内壁面に当接または近接し、ホルダ９０の両側の側壁９１が、内側方向へ撓む（倒れ込む）のを補強する補強壁８６が、支点孔８３を挟んで左右２か所づつ計４箇所立設している。補強壁８６の先端部には、側壁９１の内壁面に当接する球面凸部８７が形成されている。尚、天板８１には機能を表示する記号などが設けられており、天板８１の下方に設けられた発光素子（ＬＥＤ）などからの照明光により記号が照明されるようになっている。釦８０の材料には樹脂部材が用いられ樹脂成形加工などにより形成される。
【００６４】
ホルダ９０は、釦８０の内径と略同じ形状をした略筒状をしており、両側の側壁９１には釦８０の支点孔８３と対応する位置に、支点孔８３と回動可能に嵌合する支点軸９２が外側方向に突出している。また、図示下端部には、水平方向にフランジ部９３が形成され、フランジ部９３には取付け用の孔などが設けられている。ホルダ９０の材料には樹脂部材が用いられ樹脂成形加工などにより形成される。
【００６５】
次に、釦とホルダの組付けについて説明する。
【００６６】
釦８０をホルダ９０に組付けるには、釦８０をホルダ９０に被せた状態で、両側の支点孔８３の上部を押さえて、釦８０の支点孔８３とホルダ９０の支点軸９２とを嵌合させる。尚、嵌合時には、ホルダ９０の支点軸９２の先端が、釦８０の両側の側壁８２の内壁面に押圧され、支点軸９２の突出部近傍（両側の側壁９１）を内側方向へ撓ませながら嵌合が行われる。釦８０の支点孔８３とホルダ９０の支点軸９２とが嵌合状態では、ホルダ９０の側壁９１の内壁面に補強壁８６の球面凸部８７が当接または近接状態となる。
【００６７】
以上説明したように本発明の第４の実施の形態に係るシーソー釦１３の構造によれば、釦８０とホルダ９０の組付け後に、ホルダ９０の側壁９１の内壁面に補強壁８６の球面凸部８７が当接または近接状態となる。したがって、シーソー釦８０の操作時に、例えば、嵌合部に偏荷重が加わっても側壁９１が内側方向へ撓む（倒れ込む）のを防止することができるので、釦８０の支点孔８３とホルダ９０の支点軸９２との正常な嵌合状態を維持することができる。
【００６８】
その他に、補強壁８６が釦８０と一体形成されているので、シーソー釦１３の構成部品点数を増やすことなく効果を得ることができるので、正常な嵌合状態を維持すると共にコスト低減が図れる。
【００６９】
尚、本実施の形態では補強壁８６を、支点孔８３を挟んで左右２箇所づつ計４箇所設けたが、これに限らず、左右の支点孔８３を通る直線上に、ホルダ９０の側壁９１の内壁面に補強壁８６の球面凸部８７が当接または近接するように、左右１箇所づつ計２箇所設けることもできる。
【００７０】
【発明の効果】
以上説明したように本発明によれば、釦とホルダとの嵌合が容易となり、しかも、正常な嵌合状態を維持することのできるシーソー釦を提供することができる。したがって、シーソー釦の品質の向上が図れる。
【図面の簡単な説明】
【図１】本発明の第１の実施の形態に係るシーソー釦の構成を示す概略図である。
【図２】本発明の第２の実施の形態に係るシーソー釦の構成を示す概略図である。
【図３】本発明の第３の実施の形態に係るシーソー釦の構成を示す概略図である。
【図４】本発明の第４の実施の形態に係るシーソー釦の構成を示す概略図である。
【図５】本発明の第５の実施の形態に係るシーソー釦の構成を示す概略図である。
【図６】従来例のシーソー釦の構成を示す概略図である。
【符号の説明】
１０，１１，１２，１３，１４・・シーソー釦
２０，８０・・釦
２１，８１・・天板
２２，８３・・支点孔
２３，２４，８４，８５・・スイッチ押部
３０，４０，５０，６０，９０・・ホルダ
３１，４１，５１，６１，８２，９１・・側壁
３２，４２，５２，６２，９２・・支点軸
３３，４３・・孔
３４，６４，５４・・溝
３５，４４，４７，５６，６６，９３・・フランジ部
３７・・Ｕ字形状補強部品
３８，４８・・嵌合軸部
４５・・棒状補強部品
４６，５７・・補強部
５３，５８，６３，６８・・テーパ部
５５，６５・・係止爪
６７・・補強部品
５９，６９・・切欠溝
８６・・補強壁
８７・・球面凸部
【図１】
2004095490.tif 000003
【図２】
2004095490.tif 000004
【図３】
2004095490.tif 000005
【図４】
2004095490.tif 000006
【図５】
2004095490.tif 000007
【図６】
2004095490.tif 000008